(57)【要約】      （修正有）【課題】様々な打撃状況において、打球のバックスピン量を最適化し、打球の飛距離を安定させうるゴルフクラブセットを提供する。【解決手段】ロフト角が異なる複数本のゴルフクラブ１を含んだゴルフクラブセットである。ゴルフクラブ１は、ロフト角が３４度未満である少なくとも１本の第１ゴルフクラブ１Ａと、ロフト角が３４度以上の少なくとも１本の第２ゴルフクラブ１Ｂとを含む。少なくとも１本の第１ゴルフクラブ１Ａ及び少なくとも１本の第２ゴルフクラブ１Ｂは、それぞれ、複数の溝８が形成されたフェース３を具える。少なくとも１本の第２ゴルフクラブ１Ｂの溝８の深さは、少なくとも１本の第１ゴルフクラブ１Ａの溝８の深さよりも大きい。【選択図】図１
2019154810.tif 000002
【特許請求の範囲】
【請求項１】
ロフト角が異なる複数本のゴルフクラブを含んだゴルフクラブセットであって、
前記ゴルフクラブは、前記ロフト角が３４度未満である少なくとも１本の第１ゴルフクラブと、前記ロフト角が３４度以上の少なくとも１本の第２ゴルフクラブとを含み、
前記少なくとも１本の第１ゴルフクラブ及び前記少なくとも１本の第２ゴルフクラブは、それぞれ、複数の溝が形成されたフェースを具えており、
前記少なくとも１本の第２ゴルフクラブの前記溝の深さは、前記少なくとも１本の第１ゴルフクラブの前記溝の深さよりも大きい、
ゴルフクラブセット。
【請求項２】
前記少なくとも１本の第１ゴルフクラブの前記溝の深さが０．３８mm未満である、請求項１に記載のゴルフクラブセット。
【請求項３】
前記少なくとも１本の第２ゴルフクラブの前記溝の深さが０．３８mm以上である、請求項１又は２に記載のゴルフクラブセット。
【請求項４】
ロフト角が異なる複数本のゴルフクラブを含んだゴルフクラブセットであって、
前記ゴルフクラブは、前記ロフト角が３４度未満である少なくとも１本の第１ゴルフクラブと、前記ロフト角が３４度以上の少なくとも１本の第２ゴルフクラブとを含み、
前記少なくとも１本の第１ゴルフクラブ及び前記少なくとも１本の第２ゴルフクラブは、それぞれ、複数の溝が形成されたフェースを具えており、
前記少なくとも１本の第２ゴルフクラブの前記溝のピッチが、前記少なくとも１本の第１ゴルフクラブの前記溝のピッチよりも小さい、ゴルフクラブセット。
【請求項５】
前記少なくとも１本の第１ゴルフクラブの前記溝のピッチが３．３５mm以上である、請求項４に記載のゴルフクラブセット。
【請求項６】
前記少なくとも１本の第２ゴルフクラブの前記溝のピッチが３．３５mm未満である、請求項４又は５に記載のゴルフクラブセット。
【請求項７】
ロフト角が異なる複数本のゴルフクラブを含んだゴルフクラブセットであって、
前記ゴルフクラブは、前記ロフト角が２６度未満である少なくとも１本の低番手ゴルフクラブと、前記ロフト角が２６度以上かつ３９度未満である少なくとも１本の中番手ゴルフクラブと、前記ロフト角が３９度以上の少なくとも１本の高番手ゴルフクラブとを含み、
前記少なくとも１本の低番手ゴルフクラブ、前記少なくとも１本の中番手ゴルフクラブ及び前記少なくとも１本の高番手ゴルフクラブは、それぞれ、複数の溝が形成されたフェースを具えており、
前記少なくとも１本の高番手ゴルフクラブの前記溝の深さは、前記少なくとも１本の中番手ゴルフクラブの前記溝の深さよりも大きく、
前記少なくとも１本の中番手ゴルフクラブの前記溝の深さは、前記少なくとも１本の低番手ゴルフクラブの前記溝の深さよりも大きい、
ゴルフクラブセット。
【請求項８】
前記少なくとも１本の低番手ゴルフクラブの前記溝の深さが０．３０mm以下である、請求項７に記載のゴルフクラブセット。
【請求項９】
前記少なくとも１本の高番手ゴルフクラブの前記溝の深さが０．４０mm以上である、請求項７又は８に記載のゴルフクラブセット。
【請求項１０】
ロフト角が異なる複数本のゴルフクラブを含んだゴルフクラブセットであって、
前記ゴルフクラブは、前記ロフト角が２６度未満である少なくとも１本の低番手ゴルフクラブと、前記ロフト角が２６度以上かつ３９度未満である少なくとも１本の中番手ゴルフクラブと、前記ロフト角が３９度以上の少なくとも１本の高番手ゴルフクラブとを含み、
前記少なくとも１本の低番手ゴルフクラブ、前記少なくとも１本の中番手ゴルフクラブ及び前記少なくとも１本の高番手ゴルフクラブは、それぞれ、複数の溝が形成されたフェースを具えており、
前記少なくとも１本の高番手ゴルフクラブの前記溝のピッチが、前記少なくとも１本の中番手ゴルフクラブの前記溝のピッチよりも小さく、
前記少なくとも１本の中番手ゴルフクラブの前記溝のピッチが、前記少なくとも１本の低番手ゴルフクラブの前記溝のピッチよりも小さい、
ゴルフクラブセット。
【請求項１１】
前記少なくとも１本の低番手ゴルフクラブの前記溝のピッチが３．４０mm以上である、請求項１０に記載のゴルフクラブセット。
【請求項１２】
前記少なくとも１本の高番手ゴルフクラブの前記溝のピッチが３．３０mm以下である、請求項１０又は１１に記載のゴルフクラブセット。
【発明の詳細な説明】
【技術分野】
【０００１】
本発明は、複数本のゴルフクラブを含むゴルフクラブセットに関する。
【背景技術】
【０００２】
ロフト角が異なる複数本のゴルフクラブを含むゴルフクラブセットが種々提案されている。近年では、ゴルフクラブセットに含まれる各種のゴルフクラブのパラメータを、各ゴルフクラブヘッドのロフト角に応じて最適化する設計が試みられている（例えば、下記特許文献１ないし３参照）。
【先行技術文献】
【特許文献】
【０００３】
【特許文献１】特開２０１７−１５８９２７号公報
【特許文献２】特開２０１７−１５８９２０号公報
【特許文献３】特開２０１７−１５８９１０号公報
【発明の開示】
【発明が解決しようとする課題】
【０００４】
一般に、ゴルフクラブヘッドのボールを打撃する面であるフェースには、ヘッドのトウ・ヒール方向に延びる複数の溝が形成されている。この溝は、ボール打撃時、フェースとボールとの間の摩擦力を高め、ボールに適切なバックスピンを与える働きをする。
【０００５】
ところで、ゴルフ場でボールを打撃する状況は、ティーグランド、ラフ及びフェアウェイ等、様々である。例えば、ティーグランドからの打撃では、ボールがティーアップされるため、フェースとボールとの間に芝が介在することは殆どない。一方、フェアウェイやラフからの打撃では、フェースとボールとの間にいくつかの芝が介在するため、これらの打撃状況はティーグランドからのそれとは著しく異なる。さらに、雨天時では、フェースとボールとの間に水分も介在するため、さらに状況は複雑に変化する。しかしながら、これまでのゴルフクラブセットに含まれるゴルフクラブの前記溝は、上記のような様々な実打条件を考慮に入れて設計されたものではなかった。このため、従来のゴルフクラブセットでは、打撃状況によって打球のバックスピン量が大きく変わり、打球の飛距離を適切にコントロールすることが困難であった。
【０００６】
図８には、ロフト角が異なる３種のゴルフクラブについて、様々な打撃状況での打球のバックスピン量を測定した結果が示されている。縦軸は打球のバックスピン量（Ｎ＝８の平均値）を示し、横軸には、ゴルフクラブの種類と打撃状況とが示されている。フェースでのボールの打撃位置やヘッドスピードは、各ゴルフクラブにおいて同一である。３種のゴルフクラブは、左からピッチングウエッジＰＷ（ロフト角４６度）、８番アイアン＃８（ロフト角３６度）及び６番アイアン＃６（ロフト角２８度）である。
【０００７】
また、図８において、打撃状況を表す各用語の意味は次のとおりである。
ＤＲＹ：
ボールとフェースとの間にいかなる介在物も存在しない乾燥条件での打撃であり、これは、晴天時のティーグランドでの打撃に相当する。
ＷＥＴ：
ボールとフェースとの間に水分のみが介在する打撃状況であり、これは、雨天時のティーグランドでの打撃に相当する。
芝２〜芝４：
ボールとフェースとの間に、フェースを上下方向に延びる芝が、トウ・ヒール方向に２〜４本介在する乾燥条件での打撃状況である。「芝２」はフェアウェイでの打撃に、「芝３」はセミラフでの打撃に、「芝４」はラフでの打撃にそれぞれ相当する。
濡紙スリット：
デュポン社製ソンタラメンテナンスクロス厚手（サイズ：５６mm×５６mm）に５mm間隔で縦方向に延びるスリットを設け、これを予め水に浸漬したものフェースに貼り付けてボールを打撃したもので、雨天時のラフからの打撃に相当する。
【０００８】
また、前記打撃状況において、フェースとボールとの間の摩擦は、以下の関係となっている。
ＤＲＹ＞ＷＥＴ＞芝２＞芝３＞芝４＞濡紙スリット
【０００９】
図８から明らかなように、それぞれのゴルフクラブは、打撃状況によって打球のバックスピン量が大きく変わる（ばらつく）ことが分かる。
【００１０】
例えば、ピッチングウエッジＰＷ及び８番アイアン＃８のようにロフト角が相対的に大きいゴルフクラブの場合、「ＤＲＹ」、「ＷＥＴ」及び「芝２」の打撃状況の順に打球のバックスピン量が徐々に増える傾向がある。一方、これらのゴルフクラブでは、「芝３」、「芝４」及び「濡紙スリット」の打撃状況の順に、バックスピン量が著しく低下する。一般に、この種のゴルフクラブでは、打球のバックスピン量が低下すると、予想を超える大きな飛距離（いわゆる「フライヤー」）を招く他、アプローチショットではボールがグリーン上で止まりにくくなる。したがって、これらのゴルフクラブについては、ラフ等での打撃時等において、バックスピン量の著しい低下が抑制されるように、フェースの溝を改善する必要がある。
【００１１】
一方、６番アイアン＃６のように、ロフト角が相対的に小さいゴルフクラブは、「ＤＲＹ」、「ＷＥＴ」、「芝２」及び「芝３」の打撃状況の順に打球のバックスピン量が徐々に増える。しかし、「芝４」及び「濡紙スリット」のような打撃状況でも、「芝３」の打撃状況から殆どバックスピン量は変わらない傾向がある。一般に、この種のゴルフクラブにおいて、バックスピン量が増加すると、打球が吹け上がり、意図された本来の飛距離が得られない傾向がある。したがって、この種のゴルフクラブでは、ロフト角が大きいゴルフクラブとは逆に、低摩擦状況での打撃時には、バックスピン量の増加が抑制されるようにフェースの溝を改善する必要がある。
【００１２】
本発明は、以上のような知見に基づき案出なされたもので、ゴルフ場で想定される様々な打撃状況において、打球のバックスピン量を最適化し、ひいては打球の飛距離を安定させることができるゴルフクラブセットを提供することを主たる目的としている。
【課題を解決するための手段】
【００１３】
［前提となる知見］
発明者らは、図８に示したように、ロフト角が異なるゴルフクラブについて、様々な打撃状況（ＤＲＹ〜濡紙スリット）での打球のバックスピン量をさらに調べた。その結果、バックスピン量の変化の傾向は、あるロフト角を境として、大きく２つの傾向に区別することが可能である、という知見を得た。具体的には、ロフト角が３４度未満である第１ゴルフクラブでは、打撃時の低摩擦化が進むと、打球のバックスピン量が増えいき、ほぼそのまま高いバックスピン量が維持される。これに対して、ロフト角が３４度以上である第２ゴルフクラブでは、打撃時の低摩擦化が進むと、打球のバックスピン量が一旦増えた後に急激に減少する傾向を有する。
【００１４】
［第１の発明］
第１の発明は、ロフト角が異なる複数本のゴルフクラブを含んだゴルフクラブセットであって、前記ゴルフクラブは、前記ロフト角が３４度未満である少なくとも１本の第１ゴルフクラブと、前記ロフト角が３４度以上の少なくとも１本の第２ゴルフクラブとを含み、前記少なくとも１本の第１ゴルフクラブ及び前記少なくとも１本の第２ゴルフクラブは、それぞれ、複数の溝が形成されたフェースを具えており、前記少なくとも１本の第２ゴルフクラブの前記溝の深さは、前記少なくとも１本の第１ゴルフクラブの前記溝の深さよりも大きい、ゴルフクラブセットである。
【００１５】
第１の発明では、前記知見を前提として、第２ゴルフクラブの前記溝の深さを、第１ゴルフクラブの前記溝の深さよりも大きく形成している。これにより、第２ゴルフクラブの低摩擦打撃状況において、ボールが溝により深く係合し、バックスピン量の著しい低下が抑制される。また、第１ゴルフクラブの低摩擦打撃状況において、ボールが溝により浅く係合し、バックスピン量の増加を抑制することができる。したがって、第１の発明のゴルフクラブセットは、ゴルフ場で想定される様々な打撃状況において、打球のバックスピン量のばらつきを抑え、ひいては打球の飛距離を安定させることができる。
【００１６】
第１の発明の他の態様では、前記少なくとも１本の第１ゴルフクラブの前記溝の深さは０．３８mm未満とされても良く、前記少なくとも１本の第２ゴルフクラブの前記溝の深さは、０．３８mm以上とされても良い。
【００１７】
［第２の発明］
第２の発明では、ロフト角が異なる複数本のゴルフクラブを含んだゴルフクラブセットであって、前記ゴルフクラブは、前記ロフト角が３４度未満である少なくとも１本の第１ゴルフクラブと、前記ロフト角が３４度以上の少なくとも１本の第２ゴルフクラブとを含み、前記少なくとも１本の第１ゴルフクラブ及び前記少なくとも１本の第２ゴルフクラブは、それぞれ、複数の溝が形成されたフェースを具えており、前記少なくとも１本の第２ゴルフクラブの前記溝のピッチが、前記少なくとも１本の第１ゴルフクラブの前記溝のピッチよりも小さい、ゴルフクラブセットである。
【００１８】
第２の発明では、上記の知見を前提として、第２ゴルフクラブの前記溝のピッチを、第１ゴルフクラブの前記溝のピッチよりも小さく形成している。これにより、第２ゴルフクラブの低摩擦打撃状況において、ボールがより多くの前記溝と接触し、バックスピン量の著しい低下を抑制することができる。また、第１ゴルフクラブの低摩擦打撃状況において、ボールがより少ない前記溝と接触し、バックスピン量の増加を抑制することができる。したがって、第２の発明のゴルフクラブセットは、ゴルフ場で想定される様々な打撃状況において、打球のバックスピン量のばらつきを抑え、ひいては打球の飛距離を安定させることができる。
【００１９】
第２の発明の他の態様では、前記少なくとも１本の第１ゴルフクラブの前記溝のピッチが３．３５mm以上とされても良く、前記少なくとも１本の第２ゴルフクラブの前記溝のピッチが３．３５mm未満とされても良い。
【００２０】
［第３の発明］
第３の発明は、ロフト角が異なる複数本のゴルフクラブを含んだゴルフクラブセットであって、前記ゴルフクラブは、前記ロフト角が２６度未満である少なくとも１本の低番手ゴルフクラブと、前記ロフト角が２６度以上かつ３９度未満である少なくとも１本の中番手ゴルフクラブと、前記ロフト角が３９度以上の少なくとも１本の高番手ゴルフクラブとを含み、前記少なくとも１本の低番手ゴルフクラブ、前記少なくとも１本の中番手ゴルフクラブ及び前記少なくとも１本の高番手ゴルフクラブは、それぞれ、複数の溝が形成されたフェースを具えており、前記少なくとも１本の高番手ゴルフクラブの前記溝の深さは、前記少なくとも１本の中番手ゴルフクラブの前記溝の深さよりも大きく、前記少なくとも１本の中番手ゴルフクラブの前記溝の深さは、前記少なくとも１本の低番手ゴルフクラブの前記溝の深さよりも大きい、ゴルフクラブセットである。
【００２１】
発明者らは、図８に示したように、ゴルフクラブセット内の各ゴルフクラブについて、ボール打撃時の様々な状況（ＤＲＹ〜濡紙スリット）での打球のバックスピン量をさらに詳細に調べた。その結果、バックスピン量の変化は、より詳細には、３つの傾向に区別することが可能である、という知見を得た。すなわち、
（１）低番手ゴルフクラブでは、打撃時の低摩擦化が進むと、打球のバックスピン量が増加した後もそのまま高いバックスピン量が維持されること、
（２）高番手ゴルフクラブでは、打撃時の低摩擦化が進むと、打球のバックスピン量が一旦増加するものの、その後、著しく減少すること、及び、
（３）ロフト角が２６度以上かつ３９度未満である中番手ゴルフクラブでは、ロフト角の増加につれて、低番手ゴルフクラブの前記傾向から高番手ゴルフクラブの前記傾向に徐々に変化すること、が分かった。
【００２２】
そこで、第３の発明では、前記知見を前提として、高番手ゴルフクラブの前記溝の深さを中番手ゴルフクラブの前記溝の深さよりも大きくし、かつ、中番手ゴルフクラブの前記溝の深さを低番手ゴルフクラブの前記溝の深さよりも大きく形成している。これにより、高番手ゴルフクラブの低摩擦打撃状況において、ボールが溝により深く係合し、バックスピン量の著しい低下が抑制される。また、低番手ゴルフクラブの低摩擦打撃状況において、ボールが溝により浅く係合し、バックスピン量の増加を抑制することができる。さらに、中番手ゴルフクラブの溝には、低番手ゴルフクラブ及び高番手ゴルフクラブの溝の中間的な特性が与えられるので、バックスピン量が安定する。したがって、第３の発明のゴルフクラブセットは、ゴルフ場で想定される様々な打撃状況において、打球のバックスピン量のばらつきを抑え、ひいては打球の飛距離を安定させることができる。
【００２３】
第３の発明の他の態様では、前記少なくとも１本の低番手ゴルフクラブの前記溝の深さが０．３０mm以下とされても良く、前記少なくとも１本の高番手ゴルフクラブの前記溝の深さが０．４０mm以上とされても良い。
【００２４】
［第４の発明］
第４の発明は、ロフト角が異なる複数本のゴルフクラブを含んだゴルフクラブセットであって、前記ゴルフクラブは、前記ロフト角が２６度未満である少なくとも１本の低番手ゴルフクラブと、前記ロフト角が２６度以上かつ３９度未満である少なくとも１本の中番手ゴルフクラブと、前記ロフト角が３９度以上の少なくとも１本の高番手ゴルフクラブとを含み、前記少なくとも１本の低番手ゴルフクラブ、前記少なくとも１本の中番手ゴルフクラブ及び前記少なくとも１本の高番手ゴルフクラブは、それぞれ、複数の溝が形成されたフェースを具えており、前記少なくとも１本の高番手ゴルフクラブの前記溝のピッチが、前記少なくとも１本の中番手ゴルフクラブの前記溝のピッチよりも小さく、前記少なくとも１本の中番手ゴルフクラブの前記溝のピッチが、前記少なくとも１本の低番手ゴルフクラブの前記溝のピッチよりも小さい、ゴルフクラブセットである。
【００２５】
第４の発明では、前記知見（１）ないし（３）を前提として、高番手ゴルフクラブの前記溝のピッチを中番手ゴルフクラブの前記溝のピッチよりも小さくし、かつ、中番手ゴルフクラブの前記溝のピッチを低番手ゴルフクラブの前記溝のピッチよりも小さく形成している。これにより、高番手ゴルフクラブの低摩擦打撃状況において、ボールがより多くの溝と接触し、バックスピン量の著しい低下を抑制することができる。また、低番手ゴルフクラブの低摩擦打撃状況において、ボールがより少ない溝と接触し、バックスピン量の増加を抑制することができる。さらに、中番手ゴルフクラブの溝には、低番手ゴルフクラブ及び高番手ゴルフクラブの溝の中間的な特性が与えられるので、バックスピン量が安定する。したがって、第４の発明のゴルフクラブセットは、ゴルフ場で想定される様々な打撃状況において、打球のバックスピン量のばらつきを抑え、ひいては打球の飛距離を安定させることができる。
【００２６】
第４の発明の他の態様では、前記少なくとも１本の低番手ゴルフクラブの前記溝のピッチが３．４０mm以上とされても良く、前記少なくとも１本の高番手ゴルフクラブの前記溝のピッチが３．３０mm以下とされても良い。
【発明の効果】
【００２７】
本発明は、ゴルフ場で想定されるような様々な打撃状況において、打球のバックスピン量を最適化し、ひいては打球の飛距離を安定させ得るゴルフクラブセットを提供することができる。
【図面の簡単な説明】
【００２８】
【図１】本発明の第１〜第３実施形態のゴルフクラブセットに含まれるゴルフクラブの正面図である。
【図２】図１のゴルフクラブの側面図である。
【図３】図１のＡ−Ａ線の部分断面図である。
【図４】第１実施形態のゴルフクラブセットを構成するゴルフクラブの溝の断面図である。
【図５】第２実施形態のゴルフクラブセットに含まれるゴルフクラブの溝の断面図である。
【図６】本発明の第３〜第５実施形態のゴルフクラブセットに含まれるゴルフクラブの正面図である。
【図７】図６のゴルフクラブの側面図である。
【図８】ロフト角が異なる３種のゴルフクラブの様々な打撃状況での打球のバックスピン量を示すグラフである。
【発明を実施するための形態】
【００２９】
以下、本発明のいくつかの実施形態が図面に基づき説明される。以下に詳述される実施形態及び図面に表された具体的な構成は、本発明の内容を理解するためのものであって、本発明は、それらの具体的な構成に限定されるものではない。
【００３０】
本実施形態のゴルフクラブセット（以下、単に「セット」ということがある。）は、ロフト角が異なる複数本のゴルフクラブを含んでいる。図１及び図２には、セット（全体図示せず）に含まれる１本のゴルフクラブ１の部分的な正面図及びトウ側から見た側面図がそれぞれ示されている。
【００３１】
図１及び図２に示されるように、ゴルフクラブ１は、ボールを打撃するためのゴルフクラブヘッド（以下、単に「ヘッド」ということがある。）２と、一端がヘッド２に固着されたシャフトＳとを含んでおり、典型的には、アイアン型のゴルフクラブとして構成されている。本実施形態では、アイアン型のゴルフクラブのセットに基づき説明が行われる。好ましい態様のアイアン型のゴルフクラブのセットでは、例えば、３番アイアン〜９番アイアン、ピッチングウエッジ、アプローチウエッジ及びサンドウエッジ等から選択される複数本で構成される。
【００３２】
［基準状態等の定義］
図１及び図２には、ゴルフクラブ１の基準状態が示されている。本明細書において、ゴルフクラブ１の「基準状態」とは、ヘッド２のフェース３に形成された溝８と水平面ＨＰとが平行とされた状態で、ヘッド２が水平面ＨＰ上に置かれた状態である。基準状態では、シャフトＳの中心線ＣＬが基準垂直面ＶＰ内に配されている。基準垂直面ＶＰは、水平面ＨＰに対して垂直な平面である。
【００３３】
基準状態において、溝８は、水平面ＨＰに平行であり、かつ、基準垂直面ＶＰに平行とされる。
【００３４】
前記「ロフト角」とは、基準状態において、フェース３と基準垂直面ＶＰとの間の角度であり、図２において符号αで表されている。なお、図１に符号βで表されているのが、ライ角であり、水平面ＨＰとシャフトＳの中心線ＣＬとのなす角度である。
【００３５】
本明細書において、基準垂直面ＶＰに沿った水平方向はヘッド２のトウ・ヒール方向とされ、基準垂直面ＶＰと直交する方向はヘッド２の前後方向とされ、基準垂直面ＶＰに沿った上下方向はヘッド２の上下方向とされる。
【００３６】
［ヘッドの基本構成］
ヘッド２は、典型的なアイアン型の形状を有し、フェース３、トップ４、ソール５、トウ６及びホーゼル７を含んでおり、金属材料で構成されている。
【００３７】
フェース３は、ボールを打撃するための実質的に平坦な面である。フェース３には、ボールとの摩擦等を高めるために、複数本の溝８が設けられている。複数の溝８は、いずれもトウ・ヒール方向に沿って延びており、互いに平行である。
【００３８】
トップ４は、フェース３の上縁から後方にのびているヘッド２の上面部分である。ソール５は、フェース３の下縁から後方にのびているヘッド２の底面部分である。トウ６は、ホーゼル７から最も離れた部分である。ホーゼル７は、シャフトＳの一端を固着するためのもので、例えば筒状に構成されている。
【００３９】
［溝の基本構成］
図３には、溝８の横断面図として、図１のＡ−Ａ線の部分断面図が示される。図３に示されるように、溝８は、溝底８ａと、一対の溝壁８ｂとを有する。溝底８ａは、例えば、フェース３と平行な平面で形成されている。一対の溝壁８ｂは、それぞれ、溝底８ａからフェース３に向かって溝幅が広がる向きに傾斜している。本実施形態の溝壁８ｂは、本質的に平面で構成されている。一対の溝壁８ｂは、溝８の中心線ＧＣに対して、互いに対称形状とされている。なお、前記「平行」や前記「対称形状」は、いずれも、溝８をフェース３に加工する際の加工精度を考慮して理解されなければならず、実質的な「平行」及び、実質的な「対称形状」を含むことが意図されている。
【００４０】
溝壁８ｂとフェース３とが交差するコーナ部は、円弧で面取りされている。この円弧の曲率半径ｒは、例えば、ゴルフ規則に従って、少なくとも０．０１０インチ（０．２５４mm）の有効半径を有するように定められる。なお、本明細書において、「ゴルフ規則」とは、R＆Aに定められた「ゴルフ規則」を意味する。
【００４１】
各溝８は、深さＤ、幅Ｗ、溝壁の角度θ及びピッチＰで特定される。
【００４２】
溝８の深さＤは、フェース３から溝底８ａまでのフェース３と垂直方向の最大距離である。溝８の幅Ｗは、R＆Aが定める「溝の幅を測定するための30度測定法」に準拠して測定される。溝壁８ｂの角度θは、フェース３の法線と溝壁８ｂとがなす鋭角側の角度である。溝８のピッチＰは、隣接する溝８の中心線ＧＣ間の距離である。本実施形態の好ましいセットにおいて、溝８の深さＤ、幅Ｗ、溝壁８ｂの角度θ、ピッチＰ及び前記円弧の曲率半径などは、ゴルフ規則を満たす範囲内で設計することが意図されている。
【００４３】
［第１実施形態のセット］
第１実施形態のセットは、図４に部分的に示されるように、ロフト角αが３４度未満である少なくとも１本の第１ゴルフクラブ１Ａと、ロフト角αが３４度以上である少なくとも１本の第２ゴルフクラブ１Ｂとを含み、前記少なくとも１本の第２ゴルフクラブ１Ｂの溝８の深さＤは、前記少なくとも１本の第１ゴルフクラブ１Ａの溝８の深さＤよりも大きく構成されている。
【００４４】
発明者らは、図８に示したように、セット内の各ゴルフクラブについて、様々な打撃状況での打球のバックスピン量を分析したところ、概ね、ロフト角が３４度のところを境として、大きく２つの傾向に区別することが可能である、という知見を得た。すなわち、ロフト角が３４度未満である第１ゴルフクラブ１Ａにおいて、打撃状況が低摩擦へ変化すると、打球のバックスピン量は増加した後もそのまま高いバックスピン量が維持されることが分かった。これに対して、ロフト角が３４度以上である第２ゴルフクラブ１Ｂにおいて、打撃状況が低摩擦へ変化すると、打球のバックスピン量は一旦増加した後、著しく減少する傾向を示すことが分かった。
【００４５】
そして、発明者らは、バックスピン量の変化の傾向の違いに着目し、セットに含まれるゴルフクラブを、第１ゴルフクラブ１Ａ及び第２ゴルフクラブ１Ｂの２つのグループに分類し、それぞれのゴルフクラブについて、バックスピン量を安定させるための最適な溝８の構成を適用した。
【００４６】
下記表１〜３は、溝８の深さＤ及び幅Ｗを異ならせた種々の第１ゴルフクラブ１Ａ及び第２ゴルフクラブ１Ｂについての打撃試験の結果が示されている。この打撃試験では、フェース３の溝８の深さＤ及び幅Ｗを異ならせ、上記と同様の様々な打撃状況でボールを打撃したときの打球のバックスピン量が測定された。また、溝８の深さＤは、０．２〜０．５mmの範囲を０．１mm刻みで変化させた（４種類）。溝８の幅Ｗは、０．６〜０．９mmの範囲を０．１mm刻みで変化させた（４種類）。したがって、深さＤ及び幅Ｗの組合せで合計１６種類の溝８について、様々な打撃条件で打球のバックスピン量が測定された。また、第１ゴルフクラブ１Ａとして６番アイアン（α＝２８°）が、第２ゴルフクラブ１Ｂとして８番アイアン（α＝３６°）及びピッチングウエッジ（α＝４６°）がそれぞれ採用された。
【００４７】
いずれのゴルフクラブも、溝８の溝壁８ｂの角度θについては２０度とされている。一般に、ゴルフ規則に従った典型的なアイアン型のゴルフクラブセットで用いられている溝壁の角度は、概ね０〜４０度程度である。発明者らは上記の打撃試験に関し、溝壁８ｂの角度θをこれらの範囲で変えてみたが、その影響は非常に小さかった。これらの知見を踏まえて、この打撃試験では、溝８の溝壁８ｂの角度θが、一般的な角度である２０度とされた。
【００４８】
また、いずれのゴルフクラブにおいても、溝８のピッチＰについては、溝８の幅Ｗに応じて異ならせた。具体的には、溝８のピッチＰは、以下のように、当該溝８の幅Ｗを４倍したものに０．１mmを加えた値（すなわち、４×Ｗ＋０．１mm）に設定されている。
溝の幅Ｗ＝０．９mmの場合：ピッチＰ＝３．７mm
溝の幅Ｗ＝０．８mmの場合：ピッチＰ＝３．３mm
溝の幅Ｗ＝０．７mmの場合：ピッチＰ＝２．９mm
溝の幅Ｗ＝０．６mmの場合：ピッチＰ＝２．５mm
溝８のピッチＰをこのように設定した理由は、ゴルフ規則に基づいている。ゴルフ規則によれば、図３に示されるように、一対の溝８の間隔Ｓ（フェースのランド部分）は、一対の溝８の幅Ｗ（最大幅）の３倍以上必要とされている。この規則に従うならば、本明細書で定義される溝８の「ピッチＰ」は、溝８の幅Ｗの４倍（すなわち、３Ｗ＋１Ｗ）と等しい値に設定することもできる。前記打撃試験では、加工精度等を考慮して、ゴルフ規則から外れないように、４×Ｗ＋０．１mmとしたものである。
【００４９】
【表１】
2019154810.tif 000003
【００５０】
【表２】
2019154810.tif 000004
【００５１】
【表３】
2019154810.tif 000005
【００５２】
表２及び表３に示されるように、第２ゴルフクラブ１Ｂでは、打撃状況が低摩擦になると、溝８の深さＤが大きいほど、打球のバックスピン量が増加する傾向を示す。ここで、代表的な溝８として、幅Ｗ＝０．８mmかつ深さＤ＝０．４mmを基準とした場合、これとの差分評価では、溝８の深さＤの０．１mm当たりのバックスピン量への影響は、次のとおりである。
＜８番アイアン＞
「芝３」の場合、ほぼゼロ
「芝４」の場合、約１５０rpm
「濡紙スリット」の場合、約９００rpm
＜ピッチングウエッジ＞
「芝３」の場合、約４００rpm
「芝４」の場合、約８００rpm
「濡紙スリット」の場合、８００rpm
【００５３】
以上の解析結果より、第２ゴルフクラブ１Ｂについては、打球のバックスピン量に関して、溝８の深さＤを大きくすることで、低摩擦の打撃状況でも、バックスピン量の減少を抑え、様々な摩擦条件でも飛距離を安定させ得ることが分かる。上述のとおり、溝８の溝壁８ｂの角度θを異ならせて同様の試験が行われたが、バックスピン量を安定させる効果への影響は小さかった。
【００５４】
一方、ロフト角が小さい第１ゴルフクラブ１Ａでは、意外にも、打撃状況が低摩擦になっても、殆どバックスピン量は低下しないという特徴がある。したがって、このような第１ゴルフクラブ１Ａに、深さＤの大きい溝８を採用すると、低摩擦の打撃状況では、さらにバックスピン量が増加して打球が吹け上がり、意図された本来の飛距離が得られない傾向がある。そこで、本実施形態では、第１ゴルフクラブ１Ａについては、第２ゴルフクラブ１Ｂよりも深さＤの小さい溝８が採用されている。第１ゴルフクラブ１Ａでは、前記特徴に鑑みれば、ＤＲＹと濡紙スロットとにおけるバックスピン量の差を小さくすることが重要であるが、溝８の深さＤを小さくした場合、前記２条件でのバックスピン量の差を減じ、飛距離を安定させることができる。
【００５５】
好ましい態様では、第１ゴルフクラブ１Ａの溝８の深さＤは、例えば、０．３８mm未満、より好ましくは０．３５mm以下とされる。これにより、前記２条件での打球のバックスピン量の変化を抑制し、さらに打球の飛距離を安定させることができる。なお、第１ゴルフクラブ１Ａの溝８の深さＤの下限値は、必要最小限のバックスピン量を得るために、例えば、０．１５mm以上とされるのが望ましい。
【００５６】
同様に、好ましい態様では、第２ゴルフクラブ１Ｂの溝８の深さＤは、例えば、０．３８mm以上、より好ましくは０．４０mm以上とされる。これにより、打球条件が異なっていても打球のバックスピン量の変化を抑制し、さらに打球の飛距離を安定させることができる。なお、第２ゴルフクラブ１Ｂの溝８の深さＤの上限値は、ゴルフ規則に従って制約を受けるが、例えば、０．５０mm以下であるのが望ましい。
【００５７】
第１実施形態のセットにおいて、各ゴルフクラブ１の溝８のピッチＰについては、特に限定されるものではなく、慣例に従って適宜定めることができる。好ましい態様では、溝８のピッチＰは、ゴルフ規則に従うよう、下限値は、当該溝８の幅Ｗの４倍（以下、「４Ｗ」と表記する場合がある）以上とされるのが良い。また、ピッチＰの上限値については、特に限定されるものではないが、好ましくは、４Ｗ＋０．４（mm）以下、より好ましくは４Ｗ＋０．３（mm）以下とされる。
【００５８】
第１実施形態のセットにおいて、各ゴルフクラブ１の溝８の幅Ｗについては、特に限定されるものではなく、慣例に従って適宜定めることができる。好ましい態様では、溝８の幅Ｗは、０．５〜０．９mmの範囲、より好ましくは０．６〜０．９mmの範囲から適宜選択される。また、溝８の幅Ｗは、例えば、各クラブ内では一定とされる。また、溝８の幅Ｗは、セットの中で一定であっても良いし、変化しても良い。
【００５９】
好ましい態様では、セットは、複数の第１ゴルフクラブ１Ａと、複数の第２ゴルフクラブ１Ｂとを含むことができる。この場合、全ての第２ゴルフクラブ１Ｂの溝８の深さＤは、全ての第１ゴルフクラブ１Ａの溝８の深さＤよりも大きく構成される。
【００６０】
表４には、前記好ましい態様を満たすセットの例１及び２が示される。
【００６１】
【表４】
2019154810.tif 000006
【００６２】
［第２実施形態のセット］
第２実施形態のセットは、図５に部分的に示されるように、ロフト角αが３４度未満である少なくとも１本の第１ゴルフクラブ１Ａと、ロフト角αが３４度以上である少なくとも１本の第２ゴルフクラブ１Ｂとを含み、前記少なくとも１本の第２ゴルフクラブ１Ｂの溝８のピッチをＰは、前記少なくとも１本の第１ゴルフクラブ１Ａの溝８のピッチＰよりも小さく構成されている。
【００６３】
上述のとおり、ロフト角が３４度未満である第１ゴルフクラブ１Ａでは、打撃状況の低摩擦化が進むと、打球のバックスピン量が増加した以後もそのまま高いバックスピン量が維持されるのに対して、ロフト角が３４度以上である第２ゴルフクラブ１Ｂでは、打撃時の低摩擦化が進むと、打球のバックスピン量が一旦増加するものの、その後、著しく減少する傾向を有する。
【００６４】
そこで、第２実施形態では、上記の知見を前提として、第２ゴルフクラブ１Ｂの溝８のピッチＰを、第１ゴルフクラブ１Ａの溝８のピッチＰよりも小さく形成している。これにより、第２ゴルフクラブ１Ｂの低摩擦打撃状況において、ボールがより多くの溝８と接触し、バックスピン量の著しい低下を抑制することができる。また、第１ゴルフクラブ１Ａの低摩擦打撃状況において、ボールがより少ない溝８と接触し、バックスピン量の増加を抑制することができる。したがって、第２実施形態セットは、ゴルフ場で想定される様々な打撃状況において、打球のバックスピン量のばらつきを抑え、ひいては打球の飛距離を安定させることができる。
【００６５】
好ましい態様では、第１ゴルフクラブ１Ａの溝８のピッチＰは、３．３５mm以上とされ、第２ゴルフクラブ１Ｂの溝８のピッチＰが３．３５mm未満とされる。
【００６６】
第２実施形態のセットにおいて、溝８の深さＤについては、特に限定されるものではなく、慣例に従って適宜定めることができる。好ましい態様では、溝８の深さＤは、０．１５〜０．５０mmの範囲、より好ましくは０．２０〜０．５０mmの範囲から適宜選択される。また、溝８の深さＤは、例えば、各クラブ内では一定とされる。また、溝８の深さＤは、セットの中で一定であっても良いし、変化しても良い。後者の場合、前述の第１実施形態に従って、変化させることが望ましい。
【００６７】
第２実施形態のセットにおいて、各ゴルフクラブ１の溝８の幅Ｗについては、特に限定されるものではなく、上述のゴルフ規則と慣例に従って適宜定めることができる。好ましい態様では、溝８の幅Ｗは、０．５〜０．９mmの範囲、より好ましくは０．６〜０．９mmの範囲から適宜選択される。また、溝８の幅Ｗは、例えば、各クラブ内では一定とされる。また、溝８の幅Ｗは、セットの中で一定であっても良いし、変化しても良い。後者の場合、後述する第３実施形態の態様に従って、変化させることが望ましい。
【００６８】
好ましい態様では、セットは、複数の第１ゴルフクラブ１Ａと、複数の第２ゴルフクラブ１Ｂとを含むことができる。この場合、全ての第２ゴルフクラブ１Ｂの溝８のピッチＰは、全ての第１ゴルフクラブ１Ａの溝８のピッチＰよりも小さく構成される。
【００６９】
表５には、前記好ましい態様を満たすセットの例３が示される。
【００７０】
【表５】
2019154810.tif 000007
【００７１】
［第３〜５実施形態のセット］
図６及び図７には、第３〜第５実施形態のセット（全体図示せず）に含まれる１本のゴルフクラブ１の部分的な正面図及びトウ側から見た側面図がそれぞれ示されている。セットは、ロフト角αが異なる複数本のゴルフクラブ１を含み、典型的には、アイアン型のゴルフクラブとして構成されている。好ましい態様のアイアン型のゴルフクラブのセットでは、例えば、３番アイアン〜９番アイアン、ピッチングウエッジ、アプローチウエッジ及びサンドウエッジ等から選択される複数本で構成される。
【００７２】
ゴルフクラブ１は、ロフト角αが２６度未満である少なくとも１本の低番手ゴルフクラブ１Ｌと、ロフト角αが２６度以上かつ３９度未満である少なくとも１本の中番手ゴルフクラブ１Ｍと、ロフト角αが３９度以上の少なくとも１本の高番手ゴルフクラブ１Ｓとを含む。
【００７３】
低番手ゴルフクラブ１Ｌ、中番手ゴルフクラブ１Ｍ及び高番手ゴルフクラブ１Ｓは、それぞれ、複数の溝８が形成されたフェース３を具えている。溝８は、図３に示したような横断面形状及びピッチを具えている。
【００７４】
［第３実施形態のセット］
本実施形態のセットでは、前記少なくとも１本の高番手ゴルフクラブ１Ｓのフェース３の溝８の深さＤは、前記少なくとも１本の中番手ゴルフクラブのフェース３の溝８の深さＤよりも大きく、前記少なくとも１本の中番手ゴルフクラブ１Ｍのフェース３の溝８の深さＤは、前記少なくとも１本の低番手ゴルフクラブ１Ｌのフェース３の溝８の深さＤよりも大きく構成されている。
【００７５】
発明者らは、図８に示したように、ロフト角が異なるゴルフクラブについて、ボール打撃時の様々な打撃状況（ＤＲＹ〜濡紙スリット）での打球のバックスピン量をさらに詳細に調べた。その結果、バックスピン量の変化は、より詳細には、３つの傾向に区別することが可能である、という知見を得た。
【００７６】
すなわち、（１）ロフト角αが２６度未満である低番手ゴルフクラブ１Ｌでは、打撃時の低摩擦化が進むと、打球のバックスピン量が増加した後もそのまま高いバックスピン量が維持されること、（２）ロフト角αが３９度以上である高番手ゴルフクラブ１Ｓでは、打撃時の低摩擦化が進むと、打球のバックスピン量が一旦増加するものの、その後、著しく減少すること、及び、（３）ロフト角αが２６度以上かつ３９度未満である中番手ゴルフクラブ１Ｍでは、ロフト角αの増加につれて、低番手ゴルフクラブ１Ｌの前記傾向から高番手ゴルフクラブ１Ｓの前記傾向に徐々に変化すること、が分かった。
【００７７】
そこで、第３実施形態では、前記知見を前提として、高番手ゴルフクラブ１Ｓの溝８の深さＤを中番手ゴルフクラブ１Ｍの溝８の深さＤよりも大きくし、かつ、中番手ゴルフクラブ１Ｍの溝８の深さＤを低番手ゴルフクラブ１Ｌの溝８の深さＤよりも大きく形成している。
【００７８】
これにより、高番手ゴルフクラブ１Ｓの低摩擦打撃状況において、ボールが溝８により深く係合し、バックスピン量の著しい低下が抑制される。また、低番手ゴルフクラブ１Ｌの低摩擦打撃状況において、ボールが溝８により浅く係合し、バックスピン量の増加を抑制することができる。さらに、中番手ゴルフクラブ１Ｍの溝８には、低番手ゴルフクラブ１Ｌ及び高番手ゴルフクラブ１Ｓの溝８の中間的な特性が与えられるので、バックスピン量が安定する。したがって、第３実施形態のセットは、溝８の深さＤをロフト角αに応じてより細かく異ならせることで、ゴルフ場で想定される様々な打撃状況において、打球のバックスピン量のばらつきをさらに抑え、ひいては打球の飛距離をより一層安定させることができる。
【００７９】
好ましい態様では、低番手ゴルフクラブ１Ｌの溝８の深さＤが０．３０mm以下とされても良い。これにより、低番手ゴルフクラブ１Ｌにおいて、打撃状況が異なっていても打球のバックスピン量の変化をより小さく抑制し、さらに打球の飛距離を安定させることができる。なお、低番手ゴルフクラブ１Ｌの溝８の深さＤの下限値は、必要最小限のバックスピン量を得るために、例えば、０．１５mm以上とされる。
【００８０】
好ましい態様では、高番手ゴルフクラブ１Ｓの溝８の深さは、０．４０mm以上とされても良い。これにより、高番手ゴルフクラブ１Ｓにおいて、打撃状況が異なっていても打球のバックスピン量の変化をより小さく抑制し、さらに打球の飛距離を安定させることができる。なお、高番手ゴルフクラブ１Ｓの溝８の深さＤの上限値は、ゴルフ規則に従って制約を受けるが、例えば、０．５０mm以下とされる。
【００８１】
好ましい態様では、中番手ゴルフクラブ１Ｍの溝８の深さＤは、前記の低番手ゴルフクラブ１Ｌ及び高番手ゴルフクラブ１Ｓの溝８の深さＤの間の寸法として、０．３０mmよりも大きく、かつ、０．４０mmよりも小さく構成される。
【００８２】
第３実施形態のセットにおいて、各ゴルフクラブ１の溝８のピッチＰについては、特に限定されるものではなく、慣例に従って適宜定めることができる。好ましい態様では、溝８のピッチＰは、ゴルフ規則に従うよう、下限値は、４Ｗ（mm）以上とされるのが良い。また、ピッチＰの上限値については、特に限定されるものではないが、好ましくは、４Ｗ＋０．４（mm）以下、より好ましくは４Ｗ＋０．３（mm）以下とされる。また、溝８のピッチＰは、例えば、各クラブ内では一定とされる。また、溝８のピッチＰは、セットの中で一定であっても良いし、変化しても良い。後者の場合、後述する第４実施形態の態様に従って、変化させることが望ましい。
【００８３】
第３実施形態のセットにおいて、各ゴルフクラブ１の溝８の幅Ｗについては、特に限定されるものではなく、慣例に従って適宜定めることができる。好ましい態様では、溝８の幅Ｗは、０．５〜０．９mmの範囲、より好ましくは０．６〜０．９mmの範囲から適宜選択される。また、溝８の幅Ｗは、セットの中で一定であっても良いし、変化しても良い。
【００８４】
好ましい態様では、ゴルフクラブセットは、複数の低番手ゴルフクラブ１Ｌ、複数の中番手ゴルフクラブ１Ｍ及び複数の高番手ゴルフクラブ１Ｓを含むことができる。これまでのロフト角と番手との慣例に従った形態では、本実施形態のセットは、例えば、３番アイアン〜９番アイアン、ピッチングウエッジ、アプローチウエッジ及びサンドウエッジ等から選択される複数本で構成されることが望ましい。
【００８５】
好ましい態様では、セットは、複数の低番手ゴルフクラブ１Ｌと、複数の中番手ゴルフクラブ１Ｍと、複数の高番手ゴルフクラブ１Ｓとを含むことができる。この場合、全ての高番手ゴルフクラブ１Ｓの溝８の深さＤは、全ての中番手ゴルフクラブ１Ｍの溝８の深さＤよりも大きく構成され、全ての中番手ゴルフクラブ１Ｍの溝８の深さＤは、全ての低番手ゴルフクラブ１Ｌの溝８の深さＤよりも大きく構成される。
【００８６】
表６には、前記好ましい態様を満たすセットの例４が示される。
【００８７】
【表６】
2019154810.tif 000008
【００８８】
［第４実施形態のセット］
第４実施形態のセットでは、少なくとも１本の高番手ゴルフクラブ１Ｓのフェース３の溝８のピッチＰは、少なくとも１本の中番手ゴルフクラブ１Ｍのフェース３の溝８のピッチＰよりも小さく、少なくとも１本の中番手ゴルフクラブ１Ｍのフェース３の溝８のピッチＰは、少なくとも１本の低番手ゴルフクラブ１Ｌのフェース３の溝８のピッチＰよりも小さく構成されている。
【００８９】
第４実施形態では、前記知見（１）ないし（３）を前提として、溝８のピッチＰは、ロフト角αが大きいゴルフクラブ１ほど、小さくなるように変化している。これにより、高番手ゴルフクラブ１Ｓの低摩擦打撃状況において、ボールがより多くの溝８と接触し、バックスピン量の著しい低下を抑制することができる。また、低番手ゴルフクラブ１Ｌの低摩擦打撃状況において、ボールがより少ない溝８と接触し、バックスピン量の増加を抑制することができる。さらに、中番手ゴルフクラブ１Ｍの溝８のピッチＰには、低番手ゴルフクラブ１Ｌ及び高番手ゴルフクラブ１Ｓの溝８の中間的な特性が与えられるので、様々な打球条件でのバックスピン量が安定する。したがって、第４実施形態のセットは、溝８のピッチＰをロフト角αに応じてより細かく異ならせることで、ゴルフ場で想定される様々な打撃状況において、打球のバックスピン量のばらつきを抑え、ひいては打球の飛距離を安定させることができる。
【００９０】
好ましい態様では、低番手ゴルフクラブ１Ｌの溝８のピッチＰは、３．４０mm以上とされ、より好ましくは３．４５mmとされても良い。これにより、低番手ゴルフクラブ１Ｌにおいて、打撃状況が異なっていても打球のバックスピン量の変化をより小さく抑制し、さらに打球の飛距離を安定させることができる。
【００９１】
好ましい態様では、高番手ゴルフクラブ１Ｓの溝８のピッチＰは、３．３０mm以下とされ、より好ましくは３．２５mm以下とされる。これにより、高番手ゴルフクラブ１Ｓにおいて、打撃状況が異なっていても打球のバックスピン量の変化をより小さく抑制し、さらに打球の飛距離を安定させることができる。
【００９２】
好ましい態様では、中番手ゴルフクラブ１Ｍの溝８のピッチＰは、前記の低番手ゴルフクラブ１Ｌ及び高番手ゴルフクラブ１Ｓの溝８のピッチＰの間の寸法として、３．３０mmよりも大きく、かつ、３．４０mmよりも小さく構成される。
【００９３】
第４実施形態のセットにおいて、各ゴルフクラブ１の溝８の深さＤについては、特に限定されるものではなく、慣例に従って適宜定めることができる。好ましい態様では、溝８の深さＤは、０．１５〜０．５０mmの範囲、より好ましくは０．２０〜０．５０mmの範囲から適宜選択される。また、溝８の深さＤは、例えば、クラブ内で一定とされる。また、溝８の深さＤは、セットの中で一定であっても良いし、変化しても良い。後者の場合、前述の第３実施形態の態様に従って、変化させることが望ましい。
【００９４】
第４実施形態のセットにおいて、各ゴルフクラブ１の溝８の幅Ｗについては、特に限定されるものではなく、慣例に従って適宜定めることができる。好ましい態様では、溝８の幅Ｗは、０．５〜０．９mmの範囲、より好ましくは０．６〜０．９mmの範囲から適宜選択される。また、溝８の幅Ｗは、例えば、各クラブ内では一定とされる。また、溝８の幅Ｗは、セットの中で一定であっても良いし、変化しても良い。
【００９５】
好ましい態様では、ゴルフクラブセットは、複数の低番手ゴルフクラブ１Ｌ、複数の中番手ゴルフクラブ１Ｍ及び複数の高番手ゴルフクラブ１Ｓを含むことができる。この場合、全ての高番手ゴルフクラブ１Ｓの溝８のピッチＰは、全ての中番手ゴルフクラブ１Ｍの溝８のピッチＰよりも小さく構成され、全ての中番手ゴルフクラブ１Ｍの溝８のピッチＰは、全ての低番手ゴルフクラブ１Ｌの溝８のピッチＰよりも大きく構成される。
【００９６】
また、これまでのロフト角と番手との慣例に従った形態では、本実施形態のセットは、例えば、３番アイアン〜９番アイアン、ピッチングウエッジ、アプローチウエッジ及びサンドウエッジ等から選択される複数本で構成されることが望ましい。
【００９７】
表７には、前記好ましい態様を満たすセットの例５が示される。
【００９８】
【表７】
2019154810.tif 000009
【００９９】
［第５実施形態のセット］
第５実施形態のセットは、第３及び第４実施形態で説明された溝８の深さＤ及びピッチＰを組み合わせて構成される形態である。
【０１００】
この実施形態では、溝８の深さＤ及びピッチＰの両方をロフト角αに応じてより細かく異ならせることで、ゴルフ場で想定される様々な打撃状況において、打球のバックスピン量のばらつきを抑え、ひいては打球の飛距離を安定させることができる。
【０１０１】
表８には、前記好ましい態様を満たすセットの例８が示される。
【０１０２】
【表８】
2019154810.tif 000010
【０１０３】
以上、本発明の実施形態が詳細に説明されたが、本発明は、上記の実施形態に限定されるものではなく、種々の態様に変更しうるのは言うまでもない。特に、各実施形態は、相互に独立したものとして厳格に解されるべきではない。例えば、ある実施形態の一部の要素を、他の実施形態に記載された要素に置換して得られる態様は、本発明の開示の範囲として理解されるべきである。
【符号の説明】
【０１０４】
１    ゴルフクラブ
１Ａ  第１ゴルフクラブ
１Ｂ  第２ゴルフクラブ
１Ｌ  低番手ゴルフクラブ
１Ｍ  中番手ゴルフクラブ
１Ｓ  高番手ゴルフクラブ
２    ヘッド
３    フェース
８    溝
Ｐ    溝のピッチ
Ｗ    溝の幅
α    ロフト角
【図１】
2019154810.tif 000011
【図２】
2019154810.tif 000012
【図３】
2019154810.tif 000013
【図４】
2019154810.tif 000014
【図５】
2019154810.tif 000015
【図６】
2019154810.tif 000016
【図７】
2019154810.tif 000017
【図８】
2019154810.tif 000018